(57)【要約】【課題】精度よく監視することができるバッテリ監視装置を提供する。【解決手段】バッテリ１０の端子間電圧であるバッテリ電圧、および、電流センサ２によるバッテリ１０の出力電流であるバッテリ電流を、Ａ／Ｄ変換してＥＣＵ１に取り込んでバッテリ１０を監視する。バッテリ電流の大きさに応じた信号を入力するＡ／Ｄコンバータ３と、バッテリ電圧の大きさに応じた信号を入力するＡ／Ｄコンバータ４が備えられ、Ａ／Ｄコンバータ３におけるバッテリ電流の大きさに応じた信号のサンプリングとＡ／Ｄコンバータ４におけるバッテリ電圧の大きさに応じた信号のサンプリングとが、同じ周期で、かつ、位相差がなく行われる。【選択図】図１
2007187472.tif 000002
【特許請求の範囲】
【請求項１】
バッテリ（１０）の端子間電圧であるバッテリ電圧、および、電流センサ（２）による前記バッテリ（１０）の出力電流であるバッテリ電流を、Ａ／Ｄ変換して電子制御機器（１）に取り込んでバッテリ（１０）を監視するバッテリ監視装置において、
バッテリ電流の大きさに応じた信号を入力する第１のＡ／Ｄコンバータ（３）と、バッテリ電圧の大きさに応じた信号を入力する第２のＡ／Ｄコンバータ（４）を備え、前記第１のＡ／Ｄコンバータ（３）における前記バッテリ電流の大きさに応じた信号のサンプリングと前記第２のＡ／Ｄコンバータ（４）におけるバッテリ電圧の大きさに応じた信号のサンプリングとを、同じ周期で、かつ、位相差がなく行うようにしたことを特徴とするバッテリ監視装置。
【請求項２】
バッテリ（１０）の端子間電圧であるバッテリ電圧、および、電流センサ（２）による前記バッテリ（１０）の出力電流であるバッテリ電流を、Ａ／Ｄ変換して電子制御機器（１）に取り込んでバッテリ（１０）を監視するバッテリ監視装置において、
バッテリ電流の大きさに応じた信号を入力する第１のＡ／Ｄコンバータ（３）と、バッテリ電圧の大きさに応じた信号を入力する第２のＡ／Ｄコンバータ（４）を備え、前記第１のＡ／Ｄコンバータ（３）における前記バッテリ電流の大きさに応じた信号のサンプリングと前記第２のＡ／Ｄコンバータ（４）におけるバッテリ電圧の大きさに応じた信号のサンプリングとを、同じ周期で、かつ、一定の位相差がある状態で行うようにしたことを特徴とするバッテリ監視装置。
【請求項３】
前記一定の位相差は半周期分の位相差であることを特徴とする請求項２に記載のバッテリ監視装置。
【請求項４】
バッテリ（１０）の端子間電圧であるバッテリ電圧、および、電流センサ（２）による前記バッテリ（１０）の出力電流であるバッテリ電流を、Ａ／Ｄ変換して電子制御機器（１）に取り込んでバッテリ（１０）を監視するバッテリ監視装置において、
単一のＡ／Ｄコンバータ（５）と、バッテリ電流の大きさに応じた信号およびバッテリ電圧の大きさに応じた信号のいずれか一方を選択的に前記Ａ／Ｄコンバータ（５）に送る切替スイッチ（６）とを備え、前記Ａ／Ｄコンバータ（５）における前記バッテリ電流の大きさに応じた信号のサンプリングとバッテリ電圧の大きさに応じた信号のサンプリングとを、同じ周期で、かつ、一定の位相差がある状態で行うようにしたことを特徴とするバッテリ監視装置。
【請求項５】
前記一定の位相差は半周期分の位相差であることを特徴とする請求項４に記載のバッテリ監視装置。
【請求項６】
バッテリ（１０）の端子間電圧であるバッテリ電圧、および、電流センサ（２）による前記バッテリ（１０）の出力電流であるバッテリ電流を、Ａ／Ｄ変換して電子制御機器（１）に取り込んでバッテリ（１０）を監視するバッテリ監視装置において、
単一のＡ／Ｄコンバータ（５）と、バッテリ電流の大きさに応じた信号およびバッテリ電圧の大きさに応じた信号のいずれか一方を選択的に前記Ａ／Ｄコンバータ（５）に送る切替スイッチ（６）とを備え、前記Ａ／Ｄコンバータ（５）における前記バッテリ電流の大きさに応じた信号のサンプリングとバッテリ電圧の大きさに応じた信号のサンプリングとを、一方の周期が他方の周期の「２」以上の整数倍となる状態で行うようにしたことを特徴とするバッテリ監視装置。
【請求項７】
第１のＡ／Ｄコンバータ（３）と第２のＡ／Ｄコンバータ（４）と電流センサ（２）とをモジュール化したことを特徴とする請求項１〜３のいずれか１項に記載のバッテリ監視装置。
【請求項８】
Ａ／Ｄコンバータ（５）と電流センサ（２）と切替スイッチ（６）とをモジュール化したことを特徴とする請求項４〜６のいずれか１項に記載のバッテリ監視装置。
【発明の詳細な説明】
【技術分野】
【０００１】
本発明は、バッテリ電圧とバッテリ電流によりバッテリを監視するバッテリ監視装置に関するものである。
【背景技術】
【０００２】
従来、バッテリにおける電圧と電流をモニターする技術がある（例えば特許文献１）。これに関連する技術として、バッテリに接続された機器についてのファイヤーハザード（出火）の懸念から、バッテリ電流とバッテリ電圧をそれぞれＡ／Ｄ変換して制御機器に取り込んでバッテリを監視し、（間接的に）負荷をモニターすることが考えられている。具体的には、例えば、図１１に示すように、バッテリ１０５を監視すべく電流センサ１０２によりバッテリ電流を測定してＡ／Ｄコンバータ１０３を介して制御装置１０１に取り込むとともにバッテリ電圧をＡ／Ｄコンバータ１０４を介して制御装置１０１に取り込み、制御装置１０１において負荷における過剰な電力消費がないかをモニターする。
【特許文献１】特開平６−２４２１９５号公報
【発明の開示】
【発明が解決しようとする課題】
【０００３】
ところが、図１１においてはバッテリ電流とバッテリ電圧を、それぞれ関連なく別々にＡ／Ｄ変換（サンプリング）しており、精度よく監視するという観点から改善を図る必要があった。
【０００４】
本発明は、上記問題点に着目してなされたものであり、その目的は、精度よく監視することができるバッテリ監視装置を提供することにある。
【課題を解決するための手段】
【０００５】
上記の課題を解決するために、請求項１に記載の発明では、バッテリ電流の大きさに応じた信号を入力する第１のＡ／Ｄコンバータと、バッテリ電圧の大きさに応じた信号を入力する第２のＡ／Ｄコンバータを備え、前記第１のＡ／Ｄコンバータにおける前記バッテリ電流の大きさに応じた信号のサンプリングと前記第２のＡ／Ｄコンバータにおけるバッテリ電圧の大きさに応じた信号のサンプリングとを、同じ周期で、かつ、位相差がなく行うようにしたバッテリ監視装置を要旨とする。
【０００６】
請求項１に記載の発明によれば、第１のＡ／Ｄコンバータにおけるバッテリ電流の大きさに応じた信号のサンプリングと第２のＡ／Ｄコンバータにおけるバッテリ電圧の大きさに応じた信号のサンプリングとが、同じ周期で、かつ、位相差がなく行われる。即ち、同じタイミングで、バッテリ電流の大きさに応じた信号のサンプリングとバッテリ電圧の大きさに応じた信号のサンプリングとが行われる。これにより、電子制御機器において精度よくバッテリ電流およびバッテリ電圧を取り込むことができ、精度よく監視することが可能となる。
【０００７】
請求項２に記載の発明では、バッテリ電流の大きさに応じた信号を入力する第１のＡ／Ｄコンバータと、バッテリ電圧の大きさに応じた信号を入力する第２のＡ／Ｄコンバータを備え、前記第１のＡ／Ｄコンバータにおける前記バッテリ電流の大きさに応じた信号のサンプリングと前記第２のＡ／Ｄコンバータにおけるバッテリ電圧の大きさに応じた信号のサンプリングとを、同じ周期で、かつ、一定の位相差がある状態で行うようにしたバッテリ監視装置を要旨とする。
【０００８】
請求項２に記載の発明によれば、第１のＡ／Ｄコンバータにおけるバッテリ電流の大きさに応じた信号のサンプリングと第２のＡ／Ｄコンバータにおけるバッテリ電圧の大きさに応じた信号のサンプリングとが、同じ周期で、かつ、一定の位相差がある状態で行われる。これにより、電子制御機器において精度よくバッテリ電流およびバッテリ電圧を取り込むことができ、精度よく監視することが可能となる。
【０００９】
ここで、請求項３に記載のように、請求項２に記載のバッテリ監視装置において、前記一定の位相差は半周期分の位相差であるとよい。
請求項４に記載の発明では、単一のＡ／Ｄコンバータと、バッテリ電流の大きさに応じた信号およびバッテリ電圧の大きさに応じた信号のいずれか一方を選択的に前記Ａ／Ｄコンバータに送る切替スイッチとを備え、前記Ａ／Ｄコンバータにおける前記バッテリ電流の大きさに応じた信号のサンプリングとバッテリ電圧の大きさに応じた信号のサンプリングとを、同じ周期で、かつ、一定の位相差がある状態で行うようにしたバッテリ監視装置を要旨とする。
【００１０】
請求項４に記載の発明によれば、単一のＡ／Ｄコンバータとその前段の切替スイッチを用いて、Ａ／Ｄコンバータにおけるバッテリ電流の大きさに応じた信号のサンプリングとバッテリ電圧の大きさに応じた信号のサンプリングとが、同じ周期で、かつ、一定の位相差がある状態で行われる。これにより、電子制御機器において精度よくバッテリ電流およびバッテリ電圧を取り込むことができ、精度よく監視することが可能となる。
【００１１】
ここで、請求項５に記載のように、請求項４に記載のバッテリ監視装置において、前記一定の位相差は半周期分の位相差であるとよい。
請求項６に記載の発明では、単一のＡ／Ｄコンバータと、バッテリ電流の大きさに応じた信号およびバッテリ電圧の大きさに応じた信号のいずれか一方を選択的に前記Ａ／Ｄコンバータに送る切替スイッチとを備え、前記Ａ／Ｄコンバータにおける前記バッテリ電流の大きさに応じた信号のサンプリングとバッテリ電圧の大きさに応じた信号のサンプリングとを、一方の周期が他方の周期の「２」以上の整数倍となる状態で行うようにしたバッテリ監視装置を要旨とする。
【００１２】
請求項６に記載の発明によれば、単一のＡ／Ｄコンバータとその前段の切替スイッチを用いて、Ａ／Ｄコンバータにおけるバッテリ電流の大きさに応じた信号のサンプリングとバッテリ電圧の大きさに応じた信号のサンプリングとが、一方の周期が他方の周期の「２」以上の整数倍となる状態で行われる。これにより、電子制御機器において精度よくバッテリ電流およびバッテリ電圧を取り込むことができ、精度よく監視することが可能となる。
【００１３】
請求項７に記載のように、請求項１〜３のいずれか１項に記載のバッテリ監視装置において、第１のＡ／Ｄコンバータと第２のＡ／Ｄコンバータと電流センサとをモジュール化したり、同じく、請求項８に記載のように、請求項４〜６のいずれか１項に記載のバッテリ監視装置において、Ａ／Ｄコンバータと電流センサと切替スイッチとをモジュール化すると、部品を管理する上で好ましいものとなる。
【発明を実施するための最良の形態】
【００１４】
（第１の実施の形態）
以下、本発明を具体化した第１の実施形態を図面に従って説明する。
図１は、本実施形態におけるバッテリ監視装置（電源マネージメントシステム）の回路図である。同装置は車載バッテリ１０を監視するための装置であり、車両に搭載されている。
【００１５】
バッテリ監視装置は、電源マネージメントＥＣＵ１と、電流センサ２と、第１のＡ／Ｄコンバータ３と、第２のＡ／Ｄコンバータ４を備えている。バッテリ１０はマイナス端子が接地され、プラス端子には負荷（スタータモータ等）が接続されている。バッテリ１０のプラス端子から負荷への配線において電流センサ２が設置され、この電流センサ２によりバッテリ１０の出力電流であるバッテリ電流が測定される。電流センサ２にはＡ／Ｄコンバータ３が接続されている。Ａ／Ｄコンバータ３は電源マネージメントＥＣＵ１と接続されている。これにより、電流センサ２によるバッテリ１０の出力電流であるバッテリ電流をＡ／Ｄ変換して電子制御機器としての電源マネージメントＥＣＵ１に取り込むことができるようになっている。また、バッテリ１０のプラス端子にはＡ／Ｄコンバータ４が接続されている。Ａ／Ｄコンバータ４は電源マネージメントＥＣＵ１と接続されている。これにより、バッテリ１０の端子間電圧であるバッテリ電圧をＡ／Ｄ変換して電源マネージメントＥＣＵ１に取り込むことができるようになっている。そして、バッテリ１０を監視し、（間接的に）負荷をモニターしている。具体的には、電源マネージメントＥＣＵ１においてバッテリ電圧とバッテリ電流から電力（電流と電圧の積）を算出して負荷、例えばスタータモータに過剰な電力消費がないかモニターしている。
【００１６】
電源マネージメントＥＣＵ１はＡ／Ｄコンバータ３に対しサンプリング指令信号ＳＧ１を送るとともにＡ／Ｄコンバータ４に対しサンプリング指令信号ＳＧ２を送る。その信号ＳＧ１，ＳＧ２を図２に示す。Ａ／Ｄコンバータ３に対するサンプリング指令信号ＳＧ１とＡ／Ｄコンバータ４に対するサンプリング指令信号ＳＧ２とは同じものである。
【００１７】
また、図２のタイムチャートにおいて、バッテリ電圧Ｖ、バッテリ電流Ｉの推移を示す。
次に、本実施形態におけるバッテリ監視装置の作用について説明する。
【００１８】
図１の電流センサ２によりバッテリ電流が測定され、電流センサ２からのバッテリ電流の大きさに応じた信号（アナログ信号）がＡ／Ｄコンバータ３に送られる。Ａ／Ｄコンバータ３においてサンプリング指令信号ＳＧ１によりサンプリングが行われる。詳しくは、図２において、サンプリング指令信号ＳＧ１により所定の周期Ｔｉで、バッテリ電流の大きさに応じた信号（アナログ信号）がサンプリングされ、電流値Ｉ１，Ｉ２，Ｉ３，…を表すデジタル信号が電源マネージメントＥＣＵ１に送られる。
【００１９】
一方、図１のバッテリ１０の両端子間電圧（バッテリ電圧）の大きさに応じた信号（アナログ信号）がＡ／Ｄコンバータ４に送られる。Ａ／Ｄコンバータ４においてサンプリング指令信号ＳＧ２（＝ＳＧ１）によりサンプリングが行われる。詳しくは、図２において、サンプリング指令信号ＳＧ２により所定の周期Ｔｖ（＝Ｔｉ）で、かつ、電流サンプリングと位相差がなく、バッテリ電圧の大きさに応じた信号（アナログ信号）がサンプリングされ、電圧値Ｖ１，Ｖ２，Ｖ３，…を表すデジタル信号が電源マネージメントＥＣＵ１に送られる。
【００２０】
このようにして、Ａ／Ｄコンバータ３におけるバッテリ電流の大きさに応じた信号のサンプリングと第２のＡ／Ｄコンバータ４におけるバッテリ電圧の大きさに応じた信号のサンプリングとが、同じ周期で、かつ、位相差がなく行われる。
【００２１】
その結果、同じタイミングで電流値Ｉ１，Ｉ２，Ｉ３，…および電圧値Ｖ１，Ｖ２，Ｖ３，…を得ることができ、正確に電力（＝Ｖ×Ｉ）を算出することができる。より詳しくは、比較例として電流と電圧についてそれぞれ関連なく別々のタイミングでＡ／Ｄ変換を行う場合には時差の影響により精度のよい監視の妨げとなるが、本実施形態では同じタイミングでＡ／Ｄ変換させることにより監視の精度を向上させることができる。具体的には、スタータモータ等の負荷に過剰な電力消費がないかモニターして、過剰な電力消費が発生する傾向にあると警報を行う等してバッテリに接続された機器についてのファイヤーハザード（出火）を回避することができる。
【００２２】
上記実施形態によれば、以下のような効果を得ることができる。
バッテリ電流の大きさに応じた信号を入力する第１のＡ／Ｄコンバータ３と、バッテリ電圧の大きさに応じた信号を入力する第２のＡ／Ｄコンバータ４を備え、第１のＡ／Ｄコンバータ３におけるバッテリ電流の大きさに応じた信号のサンプリングと第２のＡ／Ｄコンバータ４におけるバッテリ電圧の大きさに応じた信号のサンプリングとを、同じ周期で、かつ、位相差がなく行うようにしたので、同じタイミングで、バッテリ電流の大きさに応じた信号のサンプリングとバッテリ電圧の大きさに応じた信号のサンプリングとが行われ、これにより、電源マネージメントＥＣＵ１において精度よくバッテリ電流およびバッテリ電圧を取り込むことができ、精度よく監視することが可能となる。
（第２の実施の形態）
次に、第２の実施の形態を、第１の実施の形態との相違点を中心に説明する。
【００２３】
図３は、図１に代わる本実施形態におけるバッテリ監視装置の回路図である。
図３において、電源マネージメントＥＣＵ１はＡ／Ｄコンバータ３に対しサンプリング指令信号ＳＧ１を送るとともにＡ／Ｄコンバータ４に対しサンプリング指令信号ＳＧ２を送る。その信号ＳＧ１，ＳＧ２を図４に示す。Ａ／Ｄコンバータ３に対するサンプリング指令信号ＳＧ１と、Ａ／Ｄコンバータ４に対するサンプリング指令信号ＳＧ２とは別の信号である。
【００２４】
次に、本実施形態におけるバッテリ監視装置の作用について説明する。
図３の電流センサ２によりバッテリ電流が測定され、電流センサ２からのバッテリ電流の大きさに応じた信号（アナログ信号）がＡ／Ｄコンバータ３に送られる。Ａ／Ｄコンバータ３においてサンプリング指令信号ＳＧ１によりサンプリングが行われる。詳しくは、図４において、サンプリング指令信号ＳＧ１により所定の周期Ｔｉで、バッテリ電流の大きさに応じた信号（アナログ信号）がサンプリングされ、電流値Ｉ１，Ｉ２，Ｉ３，…を表すデジタル信号が電源マネージメントＥＣＵ１に送られる。
【００２５】
一方、図３のバッテリ１０の両端子間電圧（バッテリ電圧）の大きさに応じた信号（アナログ信号）がＡ／Ｄコンバータ４に送られる。Ａ／Ｄコンバータ４においてサンプリング指令信号ＳＧ２（≠ＳＧ１）によりサンプリングが行われる。詳しくは、図４において、サンプリング指令信号ＳＧ２により所定の周期Ｔｖ（＝Ｔｉ）で、かつ、サンプリング指令信号ＳＧ１によるサンプリング周期Ｔｉに対し半周期ずれて、バッテリ電圧の大きさに応じた信号（アナログ信号）がサンプリングされ、電圧値Ｖ１，Ｖ２，Ｖ３，…を表すデジタル信号が電源マネージメントＥＣＵ１に送られる。
【００２６】
上記実施形態によれば、以下のような効果を得ることができる。
（１）バッテリ電流の大きさに応じた信号を入力する第１のＡ／Ｄコンバータ３と、バッテリ電圧の大きさに応じた信号を入力する第２のＡ／Ｄコンバータ４を備え、第１のＡ／Ｄコンバータ３におけるバッテリ電流の大きさに応じた信号のサンプリングと第２のＡ／Ｄコンバータ４におけるバッテリ電圧の大きさに応じた信号のサンプリングとを、同じ周期で、かつ、一定の位相差がある状態で行うようにしたので、電源マネージメントＥＣＵ１において精度よくバッテリ電流およびバッテリ電圧を取り込むことができ、精度よく監視することが可能となる。
【００２７】
（２）特に、一定の位相差は半周期分の位相差であるので、実用上好ましいものとなる。
（第３の実施の形態）
次に、第３の実施の形態を、第１の実施の形態との相違点を中心に説明する。
【００２８】
図５は、図１に代わる本実施形態におけるバッテリ監視装置の回路図である。
図１の第１の実施の形態では２つのＡ／Ｄコンバータ３，４を用いたが、図５の本実施形態では単一のＡ／Ｄコンバータ５が備えられている。また、Ａ／Ｄコンバータ５の前段には切替スイッチ６が備えられている。切替スイッチ６によりバッテリ電流の大きさに応じた信号およびバッテリ電圧の大きさに応じた信号のいずれか一方が選択的にＡ／Ｄコンバータ５に送られる。詳しくは、電流センサ２からの信号をＡ／Ｄコンバータ５に送るＡ側と、バッテリ１０のプラス端子のバッテリ電圧の大きさに応じた信号をＡ／Ｄコンバータ５に送るＢ側とに切り替えることができるようになっている。
【００２９】
電源マネージメントＥＣＵ１は切替スイッチ６に対し切替信号ＳＧ１１を送るとともにＡ／Ｄコンバータ５に対しサンプリング指令信号ＳＧ１０を送る。その信号ＳＧ１０，ＳＧ１１を図６に示す。
【００３０】
次に、本実施形態におけるバッテリ監視装置の作用について説明する。
切替スイッチ６は、図６において切替信号ＳＧ１１がＬレベルのときには、電流センサ２からの信号をＡ／Ｄコンバータ５に送るＡ側にし、切替信号ＳＧ１１がＨレベルのときには、バッテリ１０のプラス端子のバッテリ電圧の大きさに応じた信号をＡ／Ｄコンバータ５に送るＢ側にする。このとき、切替信号ＳＧ１１の信号レベルは所定の周期Ｔｓｗにて反転する（ＨレベルからＬレベルに、ＬレベルからＨレベルに切り替えられる）。
【００３１】
図５の電流センサ２によりバッテリ電流が測定され、電流センサ２からのバッテリ電流の大きさに応じた信号（アナログ信号）が切替スイッチ６を介してＡ／Ｄコンバータ５に送られる。Ａ／Ｄコンバータ５においてサンプリング指令信号ＳＧ１０によりサンプリングが行われる。詳しくは、図６において、サンプリング指令信号ＳＧ１０により所定の周期Ｔｉで、バッテリ電流の大きさに応じた信号（アナログ信号）がサンプリングされ、電流値Ｉ１，Ｉ２，Ｉ３，…を表すデジタル信号が電源マネージメントＥＣＵ１に送られる。
【００３２】
一方、図５のバッテリ１０の両端子間電圧（バッテリ電圧）の大きさに応じた信号（アナログ信号）が切替スイッチ６を介してＡ／Ｄコンバータ５に送られる。Ａ／Ｄコンバータ５においてサンプリング指令信号ＳＧ１０によりサンプリングが行われる。詳しくは、図６において、サンプリング指令信号ＳＧ１０により所定の周期Ｔｖ（＝Ｔｉ）で、かつ、電流についてのサンプリング周期Ｔｉに対し半周期ずれて、バッテリ電圧の大きさに応じた信号（アナログ信号）がサンプリングされ、電圧値Ｖ１，Ｖ２，Ｖ３，…を表すデジタル信号が電源マネージメントＥＣＵ１に送られる。
【００３３】
上記実施形態によれば、以下のような効果を得ることができる。
（１）単一のＡ／Ｄコンバータ５と、バッテリ電流の大きさに応じた信号およびバッテリ電圧の大きさに応じた信号のいずれか一方を選択的にＡ／Ｄコンバータ５に送る切替スイッチ６とを備え、Ａ／Ｄコンバータ５におけるバッテリ電流の大きさに応じた信号のサンプリングとバッテリ電圧の大きさに応じた信号のサンプリングとを、同じ周期で、かつ、一定の位相差がある状態で行うようにしたので、電源マネージメントＥＣＵ１において精度よくバッテリ電流およびバッテリ電圧を取り込むことができ、精度よく監視することが可能となる。
【００３４】
（２）特に、一定の位相差は半周期分の位相差であるので、実用上好ましいものとなる。
（第４の実施の形態）
次に、第４の実施の形態を、第３の実施の形態との相違点を中心に説明する。
【００３５】
図７は図６に代わる本実施形態におけるタイムチャートである。回路構成は図５と同じである。
図６ではＡ／Ｄコンバータ５におけるバッテリ電流の大きさに応じた信号のサンプリングとバッテリ電圧の大きさに応じた信号のサンプリングとを、同じ周期で（Ｔｖ＝Ｔｉ）、かつ、一定の位相差がある状態で行うようにしたが、本実施形態においては、図７に示すようにバッテリ電流の大きさに応じた信号のサンプリングの周期Ｔｉとバッテリ電圧の大きさに応じた信号のサンプリングの周期Ｔｖとの関係として、周期Ｔｖが周期Ｔｉの２倍となるようにしている。またそのために、切替信号ＳＧ１１についてＬレベルの期間（電流センサ２からの信号をＡ／Ｄコンバータ５に送るＡ側にする期間）を、Ｈレベルの期間（バッテリ１０のプラス端子のバッテリ電圧の大きさに応じた信号をＡ／Ｄコンバータ５に送るＢ側にする期間）に比べて３倍にしている（長くしている）。
【００３６】
上記実施形態によれば、以下のような効果を得ることができる。
単一のＡ／Ｄコンバータ５と、バッテリ電流の大きさに応じた信号およびバッテリ電圧の大きさに応じた信号のいずれか一方を選択的にＡ／Ｄコンバータ５に送る切替スイッチ６とを備え、Ａ／Ｄコンバータ５におけるバッテリ電圧の大きさに応じた信号のサンプリングの周期Ｔｖを、バッテリ電流の大きさに応じた信号のサンプリングの周期Ｔｉの２倍となるようにしたので、電源マネージメントＥＣＵ１において精度よくバッテリ電流およびバッテリ電圧を取り込むことができ、精度よく監視することが可能となる。
【００３７】
図７に代わり、図８に示すように、Ａ／Ｄコンバータ５におけるバッテリ電圧の大きさに応じた信号のサンプリングの周期Ｔｖが、バッテリ電流の大きさに応じた信号のサンプリングの周期Ｔｉの３倍となるようにサンプリングを行ってもよい。さらに、周期Ｔｖが周期Ｔｉの４以上の整数倍となるようにサンプリングを行ってもよい。
【００３８】
また、Ａ／Ｄコンバータ５におけるバッテリ電流の大きさに応じた信号のサンプリングの周期が、バッテリ電圧の大きさに応じた信号のサンプリングの周期の２以上の整数倍となるようにサンプリングを行ってもよい。
【００３９】
要は、広義には、Ａ／Ｄコンバータ５におけるバッテリ電流の大きさに応じた信号のサンプリングとバッテリ電圧の大きさに応じた信号のサンプリングとを、一方の周期が他方の周期の「２」以上の整数倍となる状態で行うようにすればよい。
（第５の実施の形態）
次に、第５の実施の形態を、第１，２の実施の形態との相違点を中心に説明する。
【００４０】
図９は図１に代わる本実施形態における回路である。
図９に示すように、第１のＡ／Ｄコンバータ３と第２のＡ／Ｄコンバータ４と電流センサ２とがモジュール化され、集合した部品２０としている。詳しくは、第１のＡ／Ｄコンバータ３と第２のＡ／Ｄコンバータ４と電流センサ２とを集合して配線および実装（パッケージング）を行い、交換可能な、所定の機能を有する集合部品（集合単位）２０としている。このように１つの大きな部品２０とすることにより、部品を管理する上で好ましいものとなる。
【００４１】
なお、図３に示した第２の実施形態においても同様にモジュール化することができる。
（第６の実施の形態）
次に、第６の実施の形態を、第３，４の実施の形態との相違点を中心に説明する。
【００４２】
図１０は図５に代わる本実施形態における回路である。
図１０に示すように、Ａ／Ｄコンバータ５と電流センサ２と切替スイッチ６とがモジュール化され、集合した部品２１としている。詳しくは、第５の実施形態でモジュールについて説明したごとく、Ａ／Ｄコンバータ５と電流センサ２と切替スイッチ６とを集合して配線および実装（パッケージング）を行い、交換可能な、所定の機能を有する集合部品（集合単位）２１としている。このように１つの大きな部品２１とすることにより、部品を管理する上で好ましいものとなる。
【図面の簡単な説明】
【００４３】
【図１】第１の実施形態におけるバッテリ監視装置の回路図。
【図２】第１の実施形態におけるタイムチャート。
【図３】第２の実施形態におけるバッテリ監視装置の回路図。
【図４】第２の実施形態におけるタイムチャート。
【図５】第３の実施形態におけるバッテリ監視装置の回路図。
【図６】第３の実施形態におけるタイムチャート。
【図７】第４の実施形態におけるタイムチャート。
【図８】別例におけるタイムチャート。
【図９】第５の実施形態におけるバッテリ監視装置の回路図。
【図１０】第６の実施形態におけるバッテリ監視装置の回路図。
【図１１】背景技術を説明するための回路図。
【符号の説明】
【００４４】
１…電源マネージメントＥＣＵ、３…第１のＡ／Ｄコンバータ、４…第２のＡ／Ｄコンバータ、５…Ａ／Ｄコンバータ、６…切替スイッチ、１０…バッテリ。
【図１】
2007187472.tif 000003
【図２】
2007187472.tif 000004
【図３】
2007187472.tif 000005
【図４】
2007187472.tif 000006
【図５】
2007187472.tif 000007
【図６】
2007187472.tif 000008
【図７】
2007187472.tif 000009
【図８】
2007187472.tif 000010
【図９】
2007187472.tif 000011
【図１０】
2007187472.tif 000012
【図１１】
2007187472.tif 000013